(57)【要約】【課題】チョークコイルを備えながらも、低コスト化を図ることができる導電ターミナル装置を提供する。【解決手段】導電ターミナル装置２１は、電機子に給電するための複数の給電用ブラシ２５を保持するブラシホルダ２２と、ブラシホルダ２２に配置され電源装置に接続される外部コネクタと給電用ブラシ２５とを電気的に接続するための導電性のターミナル片４２，４３，５２，５３と、ブラシホルダ２２に配置されターミナル片４２，４３，５２，５３と直列に接続されて該ターミナル片４２，４３，５２，５３と共に外部コネクタと給電用ブラシ２５とを電気的に接続するためのチョークコイル６２とを備える。フェライトコア６１と共にチョークコイル６２を構成するコイル部４４，５４は、ターミナル片４２，４３，５２，５３を構成する板状素材と同一の板状素材から構成され、該ターミナル片４２，４３，５２，５３と一体形成される。【選択図】図３
2009095093.tif 000002
【特許請求の範囲】
【請求項１】
電機子に給電するための複数の給電用ブラシを保持するブラシホルダと、
前記ブラシホルダに配置され、電源装置に接続される外部コネクタと前記給電用ブラシとを電気的に接続するための導電性のターミナル片と、
前記ブラシホルダに配置され、前記ターミナル片と直列に接続されて該ターミナル片と共に前記外部コネクタと前記給電用ブラシとを電気的に接続するためのチョークコイルと
を備えた導電ターミナル装置であって、
コアと共に前記チョークコイルを構成するコイル部は、前記ターミナル片を構成する板状素材と同一の板状素材から構成されたことを特徴とする導電ターミナル装置。
【請求項２】
請求項１に記載の導電ターミナル装置において、
前記コイル部は、前記ターミナル片と一体形成されたことを特徴とする導電ターミナル装置。
【請求項３】
請求項１又は２に記載の導電ターミナル装置において、
前記コイル部は、対辺から互い違いに切り込みが設けられた略四角形状のものから前記切り込みを境に交互に逆の板厚方向に膨出されてコイル状とされたことを特徴とする導電ターミナル装置。
【請求項４】
請求項１乃至３のいずれか１項に記載の導電ターミナル装置と、前記電機子と、前記電機子の周囲を囲うように配設された永久磁石を有する固定子とを備えたとこを特徴とする回転電機。
【発明の詳細な説明】
【技術分野】
【０００１】
本発明は、電機子に給電を行うための導電ターミナル装置、及び導電ターミナル装置を備えた回転電機に関するものである。
【背景技術】
【０００２】
従来、直流モータ等の回転電機には、例えば特許文献１に記載されているように、外部の電源装置から供給される電流を電機子に供給するための導電ターミナル装置を備えたものがある。この導電ターミナル装置は、電機子（その整流子）に給電するための複数の給電用ブラシを保持するブラシホルダと、ブラシホルダ上に配置され電源装置に接続される外部コネクタと前記給電用ブラシとを電気的に接続するための導電性のターミナル片とを備える。
【特許文献１】特開２００２−３１５２５６号公報
【発明の開示】
【発明が解決しようとする課題】
【０００３】
ところで、導電ターミナル装置としては、高級な仕様として、ブラシホルダにチョークコイルが配置されたものがある。このチョークコイルは、ターミナル片と直列に接続されて該ターミナル片と共に外部コネクタと給電用ブラシとを電気的に接続し、雑音防止機能を有する。
【０００４】
しかしながら、一般的にチョークコイルは、コアと、コアに巻回される線状素材からなるコイル部とからなり、その部品代が導電ターミナル装置を高コスト化してしまっていた。
【０００５】
本発明は、こうした実情に鑑みてなされたものであって、その目的は、チョークコイルを備えながらも、低コスト化を図ることができる導電ターミナル装置、及び回転電機を提供することにある。
【課題を解決するための手段】
【０００６】
上記課題を解決するため、請求項１に記載の発明では、電機子に給電するための複数の給電用ブラシを保持するブラシホルダと、前記ブラシホルダに配置され、電源装置に接続される外部コネクタと前記給電用ブラシとを電気的に接続するための導電性のターミナル片と、前記ブラシホルダに配置され、前記ターミナル片と直列に接続されて該ターミナル片と共に前記外部コネクタと前記給電用ブラシとを電気的に接続するためのチョークコイルとを備えた導電ターミナル装置であって、コアと共に前記チョークコイルを構成するコイル部は、前記ターミナル片を構成する板状素材と同一の板状素材から構成された。
【０００７】
同構成によれば、チョークコイルのコイル部は、ターミナル片を構成する板状素材と同一の板状素材から構成されるため、例えば、コイル部を別の線状素材から構成する場合に比べて、導電ターミナル装置全体を構成する素材の種類を少なくすることができる。又、例えば、帯状の母材（板状素材）からターミナル片を打ち抜いて形成する場合は、ターミナル片の形状によっては廃材が多くなるが、その廃材となる部分で前記コイル部を構成することで廃材を少なくすることが可能となる。よって、導電ターミナル装置の低コスト化を図ることができる。
【０００８】
請求項２に記載の発明では、請求項１に記載の導電ターミナル装置において、前記コイル部は、前記ターミナル片と一体形成された。
同構成によれば、コイル部は、ターミナル片と一体形成されるため、かしめや溶接といったターミナル片とチョークコイル（コイル部）との接続構造を不要とすることができる。よって、かしめ設備や溶接設備、更には接続構造の品質検査設備が不要になるとともに、製造工程において接続構造を得る工程が不要となる。よって、導電ターミナル装置の更なる低コスト化を図ることができる。
【０００９】
請求項３に記載の発明では、請求項１又は２に記載の導電ターミナル装置において、前記コイル部は、対辺から互い違いに切り込みが設けられた略四角形状のものから前記切り込みを境に交互に逆の板厚方向に膨出されてコイル状とされた。
【００１０】
同構成によれば、コイル部は、対辺から互い違いに切り込みが設けられた略四角形状のものから前記切り込みを境に交互に逆の板厚方向に膨出されてコイル状とされるため、板状素材から具体的に容易にコイル部を得ることができる。
【００１１】
請求項４に記載の発明では、請求項１乃至３のいずれか１項に記載の導電ターミナル装置と、前記電機子と、前記電機子の周囲を囲うように配設された永久磁石を有する固定子とを備えた回転電機を要旨としている。
【００１２】
同構成によれば、回転電機において、請求項１乃至３のいずれか１項に記載の発明の効果を得ることができる。
【発明の効果】
【００１３】
本発明によれば、チョークコイルを備えながらも、低コスト化を図ることができる導電ターミナル装置、及び回転電機を提供することができる。
【発明を実施するための最良の形態】
【００１４】
以下、本発明を、車両に搭載される送風装置の駆動源として用いられる直流モータに具体化した一実施形態を図面に従って説明する。
図１は、本実施形態の回転電機としての直流モータの概略構成図である。図１に示すように、直流モータを構成する有底円筒状のヨークハウジング１の上底部１ａ中央には、軸受２が設けられるとともに、該ヨークハウジング１の内周面には、複数（図中、１つのみ図示）の永久磁石３が固着されている。尚、本実施の形態では、ヨークハウジング１及び永久磁石３にて固定子が構成されている。また、ヨークハウジング１の開口部は、略円板状のエンドフレーム４にて閉塞されるとともに、該エンドフレーム４の中央部には、滑り軸受５が設けられている。そして、この滑り軸受５と前記軸受２によって、ヨークハウジング１の内側に電機子１１が回転可能に支持されている。
【００１５】
電機子１１は、軸受２及び滑り軸受５にて両端部がそれぞれ軸支される回転軸１２に、巻線１３が巻回された電機子コア１４及び整流子１５が固定されて形成されている。尚、電機子コア１４は回転軸１２におけるヨークハウジング１の上底部１ａ側（前記永久磁石３にて周囲が囲まれる位置）に固定されるとともに、整流子１５は回転軸１２におけるエンドフレーム４側に固定されている。前記整流子１５は、円筒状をなすとともに、その外周面には、短冊状をなす複数のセグメント１５ａが周方向に並設されている。そして、所定のセグメント１５ａには、前記巻線１３の端部が電気的に接続されている。
【００１６】
前記エンドフレーム４の内側面には、導電ターミナル装置２１が配置されている。図２に示すように、導電ターミナル装置２１を構成する円盤状のブラシホルダ２２は、絶縁性の合成樹脂材料にて形成されるとともに、その径方向の中央部に前記電機子１１（その整流子１５）が挿通される円形状の電機子挿通孔２３が形成されている。電機子挿通孔２３の内径は、整流子１５の外径よりも大きく形成されている。また、ブラシホルダ２２の軸方向の一端面（図２において手前側の面）上には、４つのブラシ保持部２４が固定されている。４つのブラシ保持部２４は、略四角筒状をなし、ブラシホルダ２２において周方向に等角度間隔となる４箇所で、それぞれ径方向に沿って延びるように配置されている。また、各ブラシ保持部２４は、その内周側の端部が前記電機子挿通孔２３の内周面よりも径方向内側に突出している。
【００１７】
各ブラシ保持部２４内には、略四角柱状をなす給電用ブラシ２５がそれぞれ収容保持されている。各給電用ブラシ２５は、図示しない付勢部材によって径方向内側に向かって付勢されることにより、その先端部が整流子１５の外周面に押圧接触されている。尚、付勢部材は、板ばね、圧縮コイルばね及びつるまきばね等のうち何れかが用いられる。
【００１８】
また、図３に示すように、前記ブラシホルダ２２の軸方向の他端面、即ち前記ブラシ保持部２４が設けられた側と反対側の面上には、導電性を有する金属製の板状素材よりなる２つのターミナル部材４１，５１が配置されている。
【００１９】
詳しくは、図２及び図３に示すように、各ターミナル部材４１，５１は、それぞれ周方向に隣り合う（図２及び図３中、下側の）２つのブラシ保持部２４の間から（２つのブラシ保持部２４を跨いで）１８０度離れた位置（図２及び図３中、上側）まで電機子挿通孔２３を（それぞれ逆回転方向に）迂回するように形成されている。又、各ターミナル部材４１，５１は、適宜設けられた複数のかしめ爪４１ａ，５１ａがブラシホルダ２２を貫通してかしめられることでブラシホルダ２２に対して固定されている。
【００２０】
そして、本実施の形態の各ターミナル部材４１，５１は、それぞれ同一の板状素材（帯状の母材）から打ち抜かれて構成されるターミナル片４２，４３，５２，５３と、コイル部４４，５４とが一体形成されてなる。詳述すると、ターミナル片４２，４３，５２，５３は、板状素材から単に打ち抜かれたのみの形状（板形状）である。そして、ターミナル片４２，４３，５２，５３は、基端位置（図２及び図３中、下側）から１つのブラシ保持部２４を跨いで延びるターミナル片４２，５２と、該ターミナル片４２，５２の先端からコイル部４４，５４を介して延びる第１端子４３ａ，５３ａ及び第１端子４３ａ，５３ａと分岐し更にもう１つのブラシ保持部２４を跨いで先端位置（図２及び図３中、上側）まで延びた第２端子４３ｂ，５３ｂとを有するターミナル片４３，５３とからなる。
【００２１】
又、コイル部４４，５４は、図４に示すように、コアとしてのフェライトコア６１と共に雑音防止機能を有するチョークコイル６２を構成するものである。このコイル部４４，５４は、まず図５に示すように、板状素材からの打ち抜きによって、対辺から互い違いに複数の切り込み６３が設けられた略四角形状のものが形成され、次に、図６（ａ）〜（ｃ）に示すように、前記切り込み６３（図５参照）を境に交互に逆の板厚方向に膨出（湾曲）されることでコイル状とされている。そして、図４に示すように、コイル部４４，５４の内側に円柱形状のフェライトコア６１が挿入保持されてチョークコイル６２が構成されている。尚、本実施の形態のチョークコイル６２は、全体的に略円柱形状となり、前記ターミナル片４２，４３，５２，５３より板厚方向の両方に突出することになるが、その一部が前記ブラシホルダ２２に形成された貫通孔２２ａ内に配置されることでブラシホルダ２２と衝突することなく配置されている。
【００２２】
そして、前記第１端子４３ａ，５３ａ及び第２端子４３ｂ，５３ｂには、図２に示すように、ブラシホルダ２２の軸方向の一端面（図２において手前側の面）からブラシホルダ２２に形成された貫通孔２２ａ，２２ｂを介して、それぞれ前記給電用ブラシ２５から延びるピッグテール７１の先端部が電気的に接続されて固定される。
【００２３】
上記のように構成された導電ターミナル装置２１は、図１に示すように、ブラシ保持部２４側の面がヨークハウジング１の内側を向くように、且つ、ターミナル部材４１，５１が配置された側の面がエンドフレーム４側を向くようにヨークハウジング１とエンドフレーム４との間に配置されている。そして、導電ターミナル装置２１には、モータを制御する電源装置としてのコントローラ７２に接続された外部コネクタ７３が外周側から接続され、その外部コネクタ７３の接続端子が、前記ターミナル部材４１，５１におけるターミナル片４２，５２の基端部である接続端部４２ａ，５２ａ（図３参照）にそれぞれ電気的に接続される。
【００２４】
上記のように構成されたモータにおいては、外部コネクタ７３を介して供給される電流が、ターミナル部４１，５１（即ちターミナル片４２，５２、コイル部４４，５４（チョークコイル６２）、ターミナル片４３，５３）、給電用ブラシ２５及び整流子１５を介して電機子１１の巻線１３に供給される。そして、巻線１３への給電が行われることにより、電機子１１が回転される。
【００２５】
次に、上記実施の形態の特徴的な効果を以下に記載する。
（１）チョークコイル６２のコイル部４４，５４は、ターミナル片４２，４３，５２，５３を構成する板状素材と同一の板状素材から構成されるため、例えば、コイル部を別の線状素材から構成する場合に比べて、導電ターミナル装置２１全体を構成する素材の種類を少なくすることができる。よって、導電ターミナル装置２１、ひいては直流モータの低コスト化を図ることができる。
【００２６】
（２）コイル部４４，５４は、ターミナル片４２，４３，５２，５３と一体形成されるため、かしめや溶接といったターミナル片とチョークコイル（コイル部）との接続構造を不要とすることができる。よって、かしめ設備や溶接設備、更には接続構造の品質検査設備が不要になるとともに、製造工程において接続構造を得る工程が不要となる。よって、導電ターミナル装置２１の更なる低コスト化を図ることができる。
【００２７】
（３）コイル部４４，５４は、対辺から互い違いに切り込み６３が設けられた略四角形状のものから切り込み６３を境に交互に逆の板厚方向に膨出（湾曲）されてコイル状とされるため、板状素材から具体的に容易にコイル部４４，５４を得ることができる。
【００２８】
（４）ブラシホルダ２２には、チョークコイル６２の一部が配置される貫通孔２２ａが形成されるため、チョークコイル６２が（ターミナル片４２，４３，５２，５３の板厚方向に）突出してしまうことによる導電ターミナル装置２１の大型化が抑制される。
【００２９】
上記実施の形態は、以下のように変更してもよい。
・上記実施の形態では、コイル部４４，５４は、ターミナル片４２，４３，５２，５３と一体形成されるとしたが、これに限定されず、ターミナル片を構成する板状素材と同一の板状素材から構成されれば、ターミナル片と別に（独立して）形成してもよい。例えば、帯状の母材（板状素材）からターミナル片を打ち抜いて形成する場合は、ターミナル片の形状（電機子挿通孔２３を迂回するような形状等）によっては廃材が多くなるが、その廃材となる部分でコイル部を構成することで廃材を少なくすることが可能となる。よって、導電ターミナル装置の低コスト化を図ることができる。
【００３０】
・上記実施の形態では、コイル部４４，５４は、対辺から互い違いに切り込み６３が設けられた略四角形状のものから切り込み６３を境に交互に逆の板厚方向に膨出（湾曲）されてコイル状とされるとしたが、前記板状素材から構成されるとともにコイル状とされれば他の構成に変更してもよい。
【００３１】
・上記実施の形態では、ブラシホルダ２２には、チョークコイル６２の一部が配置される貫通孔２２ａが形成されるとしたが、これに限定されず、チョークコイル６２の一部が配置される貫通孔２２ａが形成されていないブラシホルダに変更してもよい。尚、この場合、例えば、チョークコイル６２をターミナル片４２，４３，５２，５３の板厚方向の一方に起こすようにしてブラシホルダ上から大きく突出させて配置するといった構成が必要となる。
【００３２】
・上記実施の形態では、ターミナル片４２，４３，５２，５３が、ブラシホルダ２２上（図１中、下側の面上）に配置される構成としたが、これに限定されず、例えば、ブラシホルダの内部に埋設される（インサート成形される）ターミナル片としてもよい。又、勿論、ターミナル部材４１，５１のブラシホルダ２２に対する固定構造は、かしめ爪４１ａ，５１ａによるかしめのみに限定されず、接着等の他の固定構造に変更してもよい。
【００３３】
・上記実施形態では、導電ターミナル装置２１には、４つの給電用ブラシ２５が保持されるとしたが、導電ターミナル装置２１に備えられる給電用ブラシ２５の数はこれに限定されず、例えば２個等、複数個であれば変更してもよい。尚、この場合、勿論、ターミナル部材４１，５１（特にターミナル片４２，４３，５２，５３）の形状を変更する必要がある。
【００３４】
・上記実施形態では、ブラシホルダ２２は円盤状であるとしたが、給電用ブラシ２５を保持可能且つヨークハウジング１の開口部に配置可能な形状であれば、四角形の板状等、他の形状に変更してもよい。
【００３５】
・上記実施形態では、本発明を車両に搭載される送風装置の駆動源として用いられる直流モータに具体化したが、その他の用途に用いられる他の回転電機に具体化して実施してもよい。
【００３６】
上記各実施の形態から把握できる技術的思想について、以下にその効果とともに記載する。
（イ）請求項１乃至３のいずれか１項に記載の導電ターミナル装置において、前記ブラシホルダには、前記チョークコイルの少なくとも一部が配置される貫通孔が形成されたことを特徴とする導電ターミナル装置。
【００３７】
同構成によれば、ブラシホルダには、チョークコイルの少なくとも一部が配置される貫通孔が形成されるため、チョークコイルが突出してしまうことによる導電ターミナル装置の大型化が抑制される。
【図面の簡単な説明】
【００３８】
【図１】本実施の形態におけるモータの軸方向断面図。
【図２】本実施の形態における導電ターミナル装置の平面図。
【図３】本実施の形態における導電ターミナル装置の底面図。
【図４】本実施の形態におけるチョークコイルの平面図。
【図５】本実施の形態におけるコイル部の製造過程を説明するための平面図。
【図６】（ａ）本実施の形態におけるコイル部の平面図、（ｂ）本実施の形態におけるコイル部の側面図、（ｃ）本実施の形態におけるコイル部の上面図。
【符号の説明】
【００３９】
１…固定子の一部を構成するヨークハウジング、３…永久磁石、１１…電機子、２１…導電ターミナル装置、２２…ブラシホルダ、２５…給電用ブラシ、４２，４３，５２，５３…ターミナル片、４４，５４…コイル部、６１…フェライトコア（コア）、６２…チョークコイル、６３…切り込み、７２…コントローラ（電源装置）、７３…外部コネクタ。
【図１】
2009095093.tif 000003
【図２】
2009095093.tif 000004
【図３】
2009095093.tif 000005
【図４】
2009095093.tif 000006
【図５】
2009095093.tif 000007
【図６】
2009095093.tif 000008